【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
装置アイテムと、
前記装置アイテムへ電力を供給することを目的とし、電源線路間に存在する電源電圧を測定するための回路を含む、スイッチモード電源モジュールと
を備えるデバイスであって、
前記装置アイテムは、前記電源線路間に接続される容量性素子と起動回路とをさらに備え、
前記容量性素子は、前記スイッチモード電源モジュールのスイッチング動作フェーズの間に、エネルギを格納し、前記スイッチモード電源モジュールのスイッチング動作中断フェーズの間に、前記格納されたエネルギを前記起動回路に供給するのに好適であり、
前記起動回路は、前記装置アイテムが起動信号によって開始または起動されるとき、前記容量性素子の端子に存在する電圧を前記電源線路間に印加するのに好適であり、
前記スイッチモード電源モジュールは、前記測定された電源電圧に応じて前記スイッチング動作中断フェーズを終了するのに好適である、デバイス。
【請求項２】
前記スイッチング動作フェーズは、第一の定められた継続時間を有する、請求項１に記載のデバイス。
【請求項３】
前記スイッチング動作中断フェーズは、第二の定められた継続時間を有する、請求項１または２に記載のデバイス。
【請求項４】
前記スイッチモード電源モジュールは、前記装置アイテムの負荷電流に応じて、前記スイッチング動作中断フェーズの間、前記スイッチング動作を周期的に中断し、前記スイッチング動作フェーズの間、前記スイッチング動作を維持する、スイッチング動作制御回路を含む、請求項１から３のいずれか一項に記載のデバイス。
【請求項５】
前記スイッチング動作制御回路は、前記負荷電流が負荷電流閾値以下であるとき、前記スイッチング動作を中断する、請求項４に記載のデバイス。
【請求項６】
前記スイッチング動作制御回路は、前記負荷電流が負荷電流閾値より大きいとき、前記スイッチング動作を維持する、請求項４または５に記載のデバイス。
【請求項７】
前記装置アイテムは、前記容量性素子の前記端子の前記電圧を、起動回路に電力を供給する、より低い一定電圧に変換することが可能な電圧変換器を含む、請求項１から６のいずれか一項に記載のデバイス。
【請求項８】
前記装置アイテムは、リモートコントロールデバイスからの前記起動信号を受信するのに好適な起動入力をさらに含む、請求項１から７のいずれか一項に記載のデバイス。
【請求項９】
前記起動信号は、タイマから送信される、請求項１から８のいずれか一項に記載のデバイス。
【請求項１０】
前記電源線路は、２つの電源線路である、請求項１から９のいずれか一項に記載のデバイス。
【請求項１１】
装置アイテムと、
前記装置アイテムへ電力を供給することを目的とする、スイッチモード電源モジュールとを備えるデバイスにおいて実行される、スイッチング動作を制御する方法であって、前記方法は、
前記スイッチモード電源モジュールによって、電源線路間の電圧を測定することを含み、
前記方法は、前記装置アイテムにおいて、
前記スイッチモード電源モジュールのスイッチング動作フェーズの間、エネルギを格納することと、
前記スイッチモード電源モジュールのスイッチング動作中断フェーズの間、前記格納されたエネルギを供給することと、
起動信号によって前記装置アイテムが開始または起動されるとき、容量性素子の端子に存在する電圧を前記電源線路間に印加することと
を含み、
前記方法はさらに、前記スイッチモード電源モジュールによって、前記測定された電圧に応じて、前記スイッチング動作中断を中止することを含む、方法。
【請求項１２】
前記方法は、
前記スイッチモード電源モジュールにおいて、前記装置アイテムの負荷電流に応じて、前記スイッチング動作中断フェーズの間、前記スイッチング動作を周期的に中断し、前記スイッチング動作フェーズの間、前記スイッチング動作を維持することをさらに含む、請求項１１に記載の方法。
【請求項１３】
前記方法は、
前記装置アイテムによって、前記容量性素子の前記端子の前記電圧を、起動回路に電力を供給する、より低い一定電圧に変換することをさらに含む、請求項１１または１２に記載の方法。
【請求項１４】
前記方法は、
前記装置アイテムによって、前記起動信号を受信することをさらに含む、請求項１１から１３のいずれか一項に記載の方法。
【請求項１５】
前記起動信号は、タイマから送信される、請求項１１から１４のいずれか一項に記載の方法。
【手続補正２】
【補正対象書類名】明細書
【補正対象項目名】００４３
【補正方法】変更
【補正の内容】
【００４３】
本発明は、特定の実施形態に関連して記載されてきたが、これは決して限定的ではなく、これらが本発明の範囲に入る場合、記載された手段の全ての技術的な等価物ならびにそれらの組合せをそれが含むことは明らかである。
本発明は以下の態様を含む。
（付記１）
２つの電源線路（２０ａ、２０ｂ）間で、装置アイテム（２）へ電力を供給することを目的とし、スイッチモード電源モジュール（１）と、起動回路（２２）と、前記２つの電源線路（２０ａ、２０ｂ）間に接続される容量性素子（２１）と、を備える、電源デバイスであって、
前記容量性素子（２１）は、前記スイッチモード電源モジュールのスイッチング動作フェーズの間に、前記スイッチモード電源モジュールからのエネルギを格納し、前記スイッチモード電源モジュールのスイッチング動作中断フェーズの間に前記装置アイテム（２）の前記起動回路（２２）に前記格納されたエネルギを供給するのに好適であり、
前記スイッチモード電源モジュール（１）は、スイッチング動作制御デバイスを含み、前記スイッチング動作制御デバイスは、
前記負荷電流が負荷電流閾値以下である場合、予め定められた継続時間の前記スイッチング動作中断フェーズの間、前記スイッチング動作を周期的に中断し、前記負荷電流が前記負荷電流閾値より大きい場合、予め定められた継続時間の前記スイッチング動作フェーズの間、前記スイッチング動作を維持する、スイッチング動作制御回路（１４）
を含み、前記電源デバイスは、
前記装置アイテム（２）が起動信号（Ｃ１）を受け取るとき、前記起動回路（２２）が、前記容量性素子（２１）の前記端子に存在する前記電圧を前記２つの電源線路（２０ａ、２０ｂ）間に印加するのに好適であり、
前記スイッチング動作制御デバイスは、
前記２つの電源線路間に存在する前記電源電圧を測定するための回路（１５）と、
前記測定された電源電圧を予め定義された電源電圧閾値と比較するための回路（１６）であって、前記測定された電源電圧が前記電源電圧閾値以上である場合、前記スイッチング動作制御回路が前記スイッチング動作中断フェーズを終了する、比較するための回路（１６）と、
をさらに含む、前記電源デバイス。
（付記２）
スイッチモード電源モジュール内のスイッチング動作を制御する方法であって、前記スイッチモード電源モジュールは、２つの電源線路間の、装置アイテムに電力を供給することを目的とし、前記方法は、
前記測定された負荷電流が予め定義された負荷電流閾値以下である場合、前記負荷電流値が前記予め定義された負荷電流閾値よりも大きくなるまで前記スイッチング動作を周期的に中断するステップ（Ｅ１２）を含み、
前記方法は、
前記２つの電源線路間の前記電圧を測定するステップ（Ｅ１３）と、
前記測定された電圧を予め定義された電源電圧閾値と比較するステップ（Ｅ１４）と、
前記測定された電圧が前記電源電圧閾値以上である場合、前記スイッチング動作の中断を停止するステップ（Ｅ１５）と、
をさらに含む、前記方法。
（付記３）
前記容量性素子（２１）の前記端子の前記電圧を、前記起動回路（２２）に電力を供給するより低い一定電圧に変換することが可能な、電圧変換器（２３）を備える、付記１に記載の装置アイテム。
（付記４）
付記１に記載のスイッチモード電源モジュールにより電力供給されることが意図された装置アイテムを制御する方法であって、
前記スイッチモード電源モジュールの前記スイッチング動作フェーズの間に、前記スイッチモード電源モジュールからのエネルギを、前記２つの電源線路間に接続される容量性素子に格納するステップ（Ｅ２０）と、  前記装置アイテムが起動信号を受信するとき、前記容量性素子の前記端子に存在する前記電圧を前記２つの電源線路間に印加するステップ（Ｅ２１）と、
を含む、前記方法。